(57)【要約】  本発明に係る冷蔵庫は、冷凍温度帯の第１貯蔵室と、冷凍温度帯の第２貯蔵室と、前面部及び背面部を有し、第１貯蔵室と第２貯蔵室との間に配置された冷蔵温度帯の第３貯蔵室と、前面部及び背面部を含み第３貯蔵室を区画する各壁部に設けられた真空断熱材と、を備え、第３貯蔵室の背面部に設けられた真空断熱材は、下端が前面部側に位置し、上端が背面部側に位置するように傾斜して配置されているものである。
2019043913.tif 000002
【特許請求の範囲】
【請求項１】
冷凍温度帯の第１貯蔵室と、
冷凍温度帯の第２貯蔵室と、
前面部及び背面部を有し、前記第１貯蔵室と前記第２貯蔵室との間に配置された冷蔵温度帯の第３貯蔵室と、
前記前面部及び前記背面部を含み前記第３貯蔵室を区画する各壁部に設けられた真空断熱材と、を備え、
前記第３貯蔵室の前記背面部に設けられた前記真空断熱材は、
下端が前記前面部側に位置し、上端が前記背面部側に位置するように傾斜して配置されている
冷蔵庫。
【請求項２】
前記第３貯蔵室には、
第１貯蔵ケースと、
前記第１貯蔵ケースの上方に配置され、容積が前記第１貯蔵ケースよりも小さい第２貯蔵ケースと、が収納されており、
前記第３貯蔵室の扉部が閉じられた状態において、
前記第３貯蔵室の底面部に設けられた前記真空断熱材の後方端は、
前記第３貯蔵室に収納される前記第１貯蔵ケースの底面部の後方端よりも前記背面部側に位置し、
前記第３貯蔵室の上面に設けられた前記真空断熱材の後方端は、
前記第３貯蔵室に収納される第２貯蔵ケースの上方の後方端よりも前記背面部側に位置する
請求項１に記載の冷蔵庫。
【請求項３】
前記第２貯蔵室の背面側に設けられた冷却器と、
前記第３貯蔵室の前記背面部に設けられた前記真空断熱材の背面側に、前記冷却器から前記第２貯蔵室に空気を導入する第１風路と、前記第２貯蔵室で利用された空気を前記冷却器に戻す第２風路と、を備え、
前記第１風路及び前記第２風路は、
前後に重なって形成され、
前記第２風路は、前記冷却器の前面の下端から中段にかけて空気を戻すように構成されている
請求項１又は２に記載の冷蔵庫。
【請求項４】
前記第３貯蔵室には、
前記第２貯蔵ケースの上方開放面を覆う蓋構造体が設けられている
請求項２に記載の冷蔵庫。
【請求項５】
前記蓋構造体は、
前記第２貯蔵ケースの背面側端部よりも背面側に位置する部分を下方に折り曲げたヒレ部を有している
請求項４に記載の冷蔵庫。
【請求項６】
前記第１風路は、
前記真空断熱材の幅方向に２分岐された後、さらに上下に２分岐されている
請求項３に記載の冷蔵庫。
【請求項７】
前記第１貯蔵室が製氷室であり、
前記第２貯蔵室が冷凍室であり、
前記第３貯蔵室が野菜室であり、
上から、前記製氷室、前記野菜室、前記冷凍室の順でレイアウトされている
請求項１〜６のいずれか一項に記載の冷蔵庫。
【発明の詳細な説明】
【技術分野】
【０００１】
本発明は、貯蔵室を区画する各壁部に真空断熱材を配した冷蔵庫に関する。
【背景技術】
【０００２】
従来の冷蔵庫では、上から、冷蔵室、製氷室、冷凍室、野菜室の順にレイアウトしている。このレイアウトの場合には、冷蔵庫の最も低い位置に野菜室が配置されている。このため、ユーザは、野菜を野菜室から取り出すために膝を折ってしゃがんだり、腰を曲げたりする必要があった。【０００３】
ここで、野菜室と冷凍室とで扉の開閉回数あるいは扉の開時間を比較した場合には、個人差はあるものの、おおよそ野菜室の方が扉の開閉回数が多く、扉の開時間も長い。そのため、野菜室と冷凍室との位置を入れ替えて、野菜室を冷凍室よりも上方に配置した方が冷蔵庫全体としての利便性が向上すると予想される。【０００４】
しかし、従来の冷蔵庫は、第１に熱的な効率を向上させるため、冷凍温度帯の複数の室を１箇所に集合させた構成になっている。
従来の冷蔵庫は、第２に冷凍室の背面に冷却器を配置し、冷凍室と冷却器との間に特別な断熱部品を設けなくても、露付き、又は、霜着きなどの不具合が起き難い構成になっている。【０００５】
これに対して、ユーザの利便性を向上するために、冷蔵庫が、上から、冷蔵室、製氷室、野菜室、冷凍室の順でレイアウトされることが考えられる。この冷蔵庫は、上から冷蔵温度帯、つまりプラス温度帯の貯蔵室と、冷凍温度帯、つまりマイナス温度帯の貯蔵室とが交互に入れ替えられて配置される。このため、このようなレイアウトの冷蔵庫は、第１に熱的な効率が従来の冷蔵庫よりも劣る。また、必要な断熱性能を確保するために各室の壁部の厚みが大きくなり、冷蔵庫の外形が同じ場合で比較すると食品が収納できるスペースが小さくなる。【０００６】
また、このようなレイアウトの冷蔵庫は、第２に冷却器が野菜室の背面に配置されることになり、野菜室と冷却器とを隔てる壁部に従来に比して高い断熱性能を持たせる必要がある。断熱性能を高めるためには、壁部の厚みを大きくすればよい。しかし、前述の通り食品収納スペースが犠牲になってしまう。そのため、従来断熱部品としては、加工性がよく、取り付け及び取り外し、あるいは運搬性に便利な発泡スチロールの成型品を用いていた。しかし、断熱部品として、より断熱性能が高い真空断熱材を用いることで、断熱性能と食品収納スペース確保の両立が目指せる。断熱性能が高いとは、熱伝達係数が小さいということである。
【先行技術文献】
【特許文献】
【０００７】
【特許文献１】特開２０１２−２４２０７２号公報
【発明の概要】
【発明が解決しようとする課題】
【０００８】
野菜室と冷却器との間に真空断熱材を配置する場合では、冷却器で冷やした空気を野菜室に送り込むための風路が必要である。特許文献１の請求項１０には、「内壁面を構成する前記隔壁のうち、前記流入口及び前記流出口以外の前面に前記真空断熱材」を設けたと記載がある。このように、流入口と流出口以外をすべて真空断熱材で被覆してしまう方法がある。しかし、その場合には、真空断熱材に穴をあけたり、真空断熱材に切り欠きを設けたり、真空断熱材を複数使用したりする必要が生じる。そのため、製造コストが増大してしまう。
また、ユーザの利便性を考慮すれば、真空断熱材による断熱効果を向上させつつ、野菜室の容積を確保することが望ましい。【０００９】
本発明は、上記課題を解決するためのものであり、野菜室の容積を確保しつつ、真空断熱材に関係する製造コストが低減できる冷蔵庫を提供することを目的とする。
【課題を解決するための手段】
【００１０】
本発明に係る冷蔵庫は、冷凍温度帯の第１貯蔵室と、冷凍温度帯の第２貯蔵室と、前面部及び背面部を有し、前記第１貯蔵室と前記第２貯蔵室との間に配置された冷蔵温度帯の第３貯蔵室と、前記前面部及び前記背面部を含み前記第３貯蔵室を区画する各壁部に設けられた真空断熱材と、を備え、前記第３貯蔵室の前記背面部に設けられた前記真空断熱材は、下端が前記前面部側に位置し、上端が前記背面部側に位置するように傾斜して配置されているものである。
【発明の効果】
【００１１】
本発明に係る冷蔵庫によれば、第３貯蔵室の背面部に設けられた真空断熱材を、下端が前記前面部側に位置し、上端が前記背面部側に位置するように傾斜配置としたので、真空断熱材に関係する製造コストを低減することができる。
【図面の簡単な説明】
【００１２】
【図１】本発明の実施の形態１に係る冷蔵庫の一例を概略的に示す外観斜視図である。
【図２】本発明の実施の形態１に係る冷蔵庫の貯蔵室のレイアウトを概略的に示す概略正面図である。
【図３】本発明の実施の形態１に係る冷蔵庫の冷媒回路構成の一例を概略的に示す冷媒回路構成図である。
【図４】本発明の実施の形態１に係る冷蔵庫の箱体の壁部の一部の断面を概略的に示す断面図である。
【図５】本発明の実施の形態１に係る冷蔵庫の空気循環経路を説明するための概略図である。
【図６】図５のＹ−Ｙ断面を概略的に示す断面図である。
【図７】本発明の実施の形態１に係る冷蔵庫の冷却器への空気の戻りを概略的に示す説明図である。
【図８】本発明の実施の形態２に係る冷蔵庫の一部の断面を拡大して概略的に示す断面図である。
【図９】本発明の実施の形態３に係る冷蔵庫の空気循環経路を説明するための概略図である。
【図１０】図９のＺ−Ｚ断面を概略的に示す断面図である。
【図１１】本発明の実施の形態３に係る冷蔵庫の冷却器への空気の戻りを概略的に示す説明図である。
【図１２】本発明の実施の形態４に係る冷蔵庫の一部の断面を拡大して概略的に示す断面図である。
【発明を実施するための形態】
【００１３】
以下、図面に基づいて本発明の実施の形態について説明する。
なお、各図において、同一の符号を付したものは、同一の又はこれに相当するものであり、これは明細書の全文において共通している。
さらに、明細書全文に示されている構成要素の形態は、あくまで例示であってこれらの記載に限定されるものではない。
【００１４】
実施の形態１．
図１は、本発明の実施の形態１に係る冷蔵庫１の一例を概略的に示す外観斜視図である。図２は、冷蔵庫１の貯蔵室のレイアウトを概略的に示す概略正面図である。図１及び図２に基づいて、冷蔵庫１の構成について説明する。なお、以下の説明において、冷蔵室１１、製氷室２１、温度切替室２２、野菜室３１、及び、冷凍室４１を、まとめて各貯蔵室と称する場合があるものとする。
【００１５】
図２に示すように、冷蔵庫１は、上から、冷蔵室１１、製氷室２１及び温度切替室２２、野菜室３１、冷凍室４１の順でレイアウトされている。製氷室２１及び温度切替室２２は、隣接するようにレイアウトされ、製氷室２１は紙面左側に位置し、温度切替室２２は紙面右側に位置している。
なお、製氷室２１及び温度切替室２２は冷凍温度帯の貯蔵室である。野菜室３１は、冷蔵温度帯の貯蔵室である。冷凍室４１は冷凍温度帯の貯蔵室である。
製氷室２１が、本発明の第１貯蔵室に相当する。
冷凍室４１が、本発明の第２貯蔵室に相当する。
野菜室３１が、本発明の第３貯蔵室に相当する。
【００１６】
冷蔵室１１、製氷室２１、温度切替室２２、野菜室３１、及び、冷凍室４１の各貯蔵室の間は、壁部となる仕切りで仕切られている。壁部については、図４で説明する。
冷蔵室１１と製氷室２１とは、仕切り５１Ａで仕切られている。冷蔵室１１と温度切替室２２とは仕切り５１Ｂで仕切られている。製氷室２１と温度切替室２２とは、１つの板状部材で構成されている仕切り５２で仕切られている。製氷室２１と野菜室３１とは、仕切り５３Ａで仕切られている。温度切替室２２と野菜室３１とは、仕切り５３Ｂで仕切られている。野菜室３１と冷凍室４１とは、１つの板状部材で構成されている仕切り５４で仕切られている。
【００１７】
仕切り５１Ａ及び仕切り５１Ｂは１つの板状部材で構成されているが、製氷室２１及び温度切替室２２に対応して便宜的に分けて説明している。以下の説明において、仕切り５１Ａと仕切り５１Ｂとに分けて説明する必要がない場合には、まとめて仕切り５１と称するものとする。
同様に、仕切り５３Ａ及び仕切り５３Ｂは１つの板状部材で構成されているが、製氷室２１及び温度切替室２２に対応して便宜的に分けて説明している。以下の説明において、仕切り５３Ａと仕切り５３Ｂとに分けて説明する必要がない場合には、まとめて仕切り５３と称するものとする。
【００１８】
冷蔵庫１は、縦に長い直方体で構成された箱体５０を備えている。箱体５０は、前面部５０Ａ、上面部５０Ｂ、底面部５０Ｃ、右側面部５０Ｄ、左側面部５０Ｅ、及び、背面部５０Ｆを有している。箱体５０は、仕切り５１Ａ、仕切り５１Ｂ、仕切り５２、仕切り５３Ａ、仕切り５３Ｂ、及び、仕切り５４によって箱体５０の内部空間を区画した各貯蔵室を有している。そして、箱体５０の正面である前面部５０Ａには開閉可能な扉部が設けられている。図１に示すように、冷蔵室１１の扉部を扉部１１Ａ、製氷室２１の扉部を扉部２１Ａ、温度切替室２２の扉部を扉部２２Ａ、野菜室３１の扉部を扉部３１Ａ、冷凍室４１の扉部を扉部４１Ａとして、図示している。
【００１９】
冷蔵室１１の扉部１１Ａは、箱体５０の幅方向左右側に設けられた図示省略のヒンジを介して中央部から左右に開くように構成されている。扉部１１Ａを１つとし、箱体５０の幅方向左右側の一方から開くように構成してもよい。製氷室２１の扉部２１Ａは、冷蔵庫１の前後方向に移動する引き出し扉として構成されている。温度切替室２２の扉部２２Ａは、冷蔵庫１の前後方向に移動する引き出し扉として構成されている。野菜室３１の扉部３１Ａは、冷蔵庫１の前後方向に移動する引き出し扉として構成されている。冷凍室４１の扉部４１Ａは、冷蔵庫１の前後方向に移動する引き出し扉として構成されている。
【００２０】
図３は、冷蔵庫１の冷媒回路構成の一例を概略的に示す冷媒回路構成図である。図３に基づいて、冷蔵庫１の冷媒回路７０及び空気循環経路８０について概略的に説明する。なお、図３では、冷媒及び空気の流れを矢印で示している。また、図３では、空気循環経路８０の説明のため各貯蔵室を図示している。さらに、冷媒回路７０に使用する冷媒を特に限定するものではない。
【００２１】
冷媒回路７０の構成について説明する。
冷蔵庫１は、冷媒回路７０を有している。冷媒回路７０は、図３に示すように、圧縮機７１、空冷凝縮器７２、放熱パイプ７３、減圧装置７６、及び、冷却器６００が配管接続することで構成される。放熱パイプ７３と減圧装置７６との間には、露付き防止パイプ７４及びドライヤ７５が接続されている。また、図３では、冷却器６００に空気を供給する送風機８００が設置されている状態を例に図示している。
【００２２】
冷媒回路７０の作用について説明する。
圧縮機７１が駆動することにより、圧縮機７１から冷媒が吐出される。圧縮機７１から吐出された冷媒は、箱体５０に形成されている機械室に設置されている空冷凝縮器７２に流入する。空冷凝縮器７２から流出した冷媒は、冷蔵庫１の箱体５０のウレタン内部に設置された放熱パイプ７３を流通する。そして、放熱パイプ７３を通過した冷媒は、冷蔵庫１の貯蔵室の前面部５０Ａの周囲に張り巡らされている露付き防止パイプ７４を流通する。冷媒は、空冷凝縮器７２、放熱パイプ７３、及び、露付き防止パイプ７４による凝縮過程により凝縮される。
【００２３】
凝縮された冷媒は、ドライヤ７５を経由した後、減圧装置７６を経て、冷却器６００に供給される。冷却器６００は、冷却器６００に供給された冷媒が蒸発することにより、送風機８００により強制的に内部循環する空気と熱交換し、冷気を生成する。生成された冷気は、各貯蔵室に供給され、各貯蔵室を冷却する。その後、冷媒は、吸入管を経て減圧装置７６と熱交換しながら温度上昇し、圧縮機７１に戻る。
以上のように、冷蔵庫１は、冷媒回路７０を持ち、各貯蔵室を冷却する冷気が生成される。
【００２４】
空気循環経路８０の構成について説明する。
冷蔵庫１は、空気循環経路８０を有している。空気循環経路８０は、吹出風路１１０及び戻り風路１４０を含んで構成されている。吹出風路１１０は、各貯蔵室に冷気を導入するものである。また、戻り風路１４０は、各貯蔵室で冷却に利用された冷気を冷却器６００に導くものである。つまり、空気循環経路８０は、吹出風路１１０及び戻り風路１４０を介して冷却器６００及び各貯蔵室に冷気を循環させる経路である。
【００２５】
吹出風路１１０の入口には風量調整装置が設置されている。冷蔵室１１の入口に設置される風量調整装置が第１ダンパー１０１である。製氷室２１の入口に設置される風量調整装置が第２ダンパー２０１ａである。温度切替室２２の入口に設置される風量調整装置が第３ダンパー２０２である。野菜室３１の入口に設置される風量調整装置が第４ダンパー３０１である。
【００２６】
空気循環経路８０の作用について説明する。
送風機８００が駆動することにより、冷蔵庫１の空気が冷却器６００に供給される。そして、送風機８００により強制的に内部循環する空気は、冷却器６００で冷媒と熱交換し、冷却される。冷却器６００での熱交換で生成された冷気は、吹出風路１１０を流れて冷蔵庫１内の各貯蔵室に吹き出され、各貯蔵室を冷却する。
【００２７】
各貯蔵室と冷却器６００とを循環する空気は、各貯蔵室に設置された図示しない温度センサにより検知された貯蔵室内の空気温度あるいは貯蔵食品の温度に応じて、図示しない制御装置により各風量調整装置が動作され、各貯蔵室を適切な温度に保つ。各貯蔵室で冷却に利用された空気は、戻り風路１４０を流れて冷却器６００に戻る。
【００２８】
図４は、冷蔵庫１の箱体５０の壁部５５の一部の断面を概略的に示す断面図である。図４に基づいて、冷蔵庫１の箱体５０の壁部５５について説明する。
図４に示すように、冷蔵庫１の箱体５０の壁部５５は、外郭を構成する板金５６と、各貯蔵室の内壁を構成する内箱５７と、板金５６と内箱５７との間に設置された断熱材５００と、から構成され、外部からの侵入熱量を抑制している。壁部５５は、仕切り５１Ａ、仕切り５１Ｂ、仕切り５２、仕切り５３Ａ、仕切り５３Ｂ、及び、仕切り５４を構成するものである。
【００２９】
少なくとも冷蔵庫１の右側面部５０Ｄ及び左側面部５０Ｅを構成する壁部５５には、断熱材５００として、真空断熱材とウレタン発泡材との多層構成としたものを用いるとよい。真空断熱材とウレタン発泡材との多層構成としたものを断熱材５００とすることで、断熱性能を高めることが可能になる。
【００３０】
真空断熱材に関しては、冷蔵庫１の右側面部５０Ｄ及び左側面部５０Ｅを構成する壁部５５のみならず、冷蔵庫１の上面部５０Ｂ、底面部５０Ｃ、及び、背面部５０Ｆを構成する壁部５５の少なくともいずれかに搭載することも可能である。真空断熱材を搭載することにより、さらに断熱性能を高めることもできる。また、真空断熱材を搭載することにより、冷蔵庫１の外郭と内箱５７の内壁面との間の距離、つまり断熱厚を狭めることが可能となり、内容積を増加することが可能となる。
【００３１】
なお、断熱材５００は、ウレタン発泡材を封入する空間に、冷蔵庫１の歪みを矯正する補強部材、上記した冷媒回路部品、電気配線部品などの様々な内設部材を配置し、これらの内接部材をウレタン発泡材にて固定している。
【００３２】
断熱材５００に配される真空断熱材の被覆面積は、各貯蔵室の扉表面積を含めた外郭表面積全体の４０％以上を確保する。これらの真空断熱材の周囲に封入されるウレタン発泡材は、発泡密度が６０ｋｇ／ｃｍ３以上を確保し、かつ、曲げ弾性率が１５．０ＭＰａ以上を確保する。こうすることで、冷蔵庫１の箱体５０の強度を担保することが可能になる。
【００３３】
図５は、冷蔵庫１の空気循環経路８０を説明するための概略図である。図６は、図５のＹ−Ｙ断面を概略的に示す断面図である。図７は、冷蔵庫１の冷却器６００への空気の戻りを概略的に示す説明図である。図５〜図７に基づいて、冷蔵庫１における空気循環経路８０について詳しく説明する。なお、図５〜図７では、空気の流れを矢印で示している。なお、図５では、冷蔵室１１にチルド室が設置されている場合を例に示している。
【００３４】
まず、冷却器６００の配置について説明する。
冷蔵庫１の箱体５０の製氷室２１、温度切替室２２及び野菜室３１の背面部５０Ｆ側には、図６に示すように冷却器室２７が形成されている。この冷却器室２７に、冷却器６００は配置される。そして、冷却器室２７に配置された冷却器６００の下端は、冷却器室２７内にて、野菜室３１の床面３１Ｂよりも下に位置している。
【００３５】
冷却器６００の下端を野菜室３１の床面３１Ｂよりも下に位置することにより、冷却器６００の上方により大きな空間を確保することが可能になる。これにより、冷却器室２７の一部に設置された送風機８００のサイズの自由度が大きくなる。また、送風機８００の上方には、発泡断熱材により保持された、各貯蔵室に向かう風路への風量調整装置が設置されている。
【００３６】
なお、冷却器６００よりも下方には、ヒータ７００が設置されている。ヒータ７００は、着霜による第５戻り風路４１２の閉塞を回避するために設けられており、必要に応じて通電され、発熱を行う。
また、図７に示すように、ドリップヒータ７５０がドリップトレイ７５１に設置されている。冷却器室２７の下方には、霜取り時の融解水を受けるドリップトレイ７５１が設けられている。ドリップヒータ７５０は、ドリップトレイ７５１で受けた融解水の再氷結を回避するために設けられており、必要に応じて通電され、発熱を行う。なお、ドリップヒータ７５０は必須なものではなく、ヒータ７００に兼用させるようにしてもよい。
【００３７】
次に、野菜室３１及び野菜室３１の周辺について説明する。
図６に示すように、野菜室３１には、第１野菜室貯蔵ケース４２０Ａ及び第２野菜室貯蔵ケース４２０Ｂが収納されている。第２野菜室貯蔵ケース４２０Ｂは、第１野菜室貯蔵ケース４２０Ａの上方に配置されており、容積が第１野菜室貯蔵ケース４２０Ａよりも小さいものとなっている。第２野菜室貯蔵ケース４２０Ｂが第１野菜室貯蔵ケース４２０Ａに収納され、扉部３１Ａが閉じられた状態において、第２野菜室貯蔵ケース４２０Ｂの後方の上方開放端は、第１野菜室貯蔵ケース４２０Ａの後方の上方解放端よりも長さＤ３分後方に位置している。
【００３８】
なお、野菜室３１に収納する貯蔵ケースの個数を特に限定するものではないが、少なくとも第１野菜室貯蔵ケース４２０Ａ及び第２野菜室貯蔵ケース４２０Ｂが収納されていればよい。
第１野菜室貯蔵ケース４２０Ａが、本発明の第１貯蔵ケースに相当する。
第２野菜室貯蔵ケース４２０Ｂが、本発明の第２貯蔵ケースに相当する。
【００３９】
また、図６に示すように、野菜室３１の上面部付近には、第２野菜室貯蔵ケース４２０Ｂの上方開放面の略全面を覆う蓋構造体４３０が設置されている。蓋構造体４３０は、第２野菜室貯蔵ケース４２０Ｂの背面側端部よりも背面側に位置する部分を下方に向けて折り曲げられたヒレ部４３０Ａを有している。ヒレ部４３０Ａは、蓋構造体４３０の一部を鋭角に折り曲げて形成されている。
さらに、図６に示すように、野菜室３１の前後及び上下には、野菜室３１の前後及び上下を囲むように断熱材５００の一部として真空断熱材５００Ａが配置されている。なお、野菜室３１の左右にも断熱材５００の一部として真空断熱材５００Ａを配置されているが、図６では省略している。
【００４０】
次に、冷蔵庫１の風路構成について具体的に説明する。
上述したように、冷蔵庫１は、吹出風路１１０及び戻り風路１４０を有している。
吹出風路１１０は、第１吹出風路１１１、第２吹出風路２１１ａ、第３吹出風路２１２、第４吹出風路３１１、第５吹出風路４１１、及び、第６吹出風路２１１ｂで構成される。
戻り風路１４０は、第１戻り風路１４１、第２戻り風路２４１ａ、第３戻り風路２４２、第４戻り風路３１２、及び、第５戻り風路４１２で構成される。
なお、以下で説明する各吹出風路及び各戻り風路は各貯蔵室の背面側、つまり背面部５０Ｆ側の空間に形成されており、各吹出口及び各戻り口は各貯蔵室の背面部５０Ｆに形成されている。
【００４１】
第１吹出風路１１１は、冷蔵室１１に吹き出す冷気が流れる冷蔵室吹出風路として機能する。第１吹出風路１１１の冷気入口には、風量調整装置の１つである第１ダンパー１０１が設けられている。第１ダンパー１０１は、冷蔵庫１を正面視した状態において冷蔵室１１の下方に位置している。第１ダンパー１０１は、上述したように制御装置により動作が制御される。これにより、冷蔵室１１に吹き出す冷気の風量が調整される。
【００４２】
また、第１吹出風路１１１には第１吹出口１２１が形成されている。第１吹出風路１１１を流れる冷気は、第１吹出口１２１を介して冷蔵室１１に導入される。複数の第１吹出口１２１は、冷蔵庫１を正面視した状態において冷蔵室１１の高さ方向に並ぶように配置されている。なお、第１吹出口１２１の個数を特に限定するものではないが、冷蔵室１１の容積に応じて複数個設置するとよい。
【００４３】
第２吹出風路２１１ａは、製氷室２１に吹き出す冷気が流れる製氷室吹出風路として機能する。第２吹出風路２１１ａの冷気入口には、風量調整装置の１つである第２ダンパー２０１ａが設けられている。第２ダンパー２０１ａは、冷蔵庫１を正面視した状態において製氷室２１の中段に位置している。第２ダンパー２０１ａは、上述したように制御装置により動作が制御される。これにより、製氷室２１に吹き出す冷気の風量が調整される。
【００４４】
また、第２吹出風路２１１ａには第２吹出口２２１ａが形成されている。第２吹出風路２１１ａを流れる冷気は、第２吹出口２２１ａを介して製氷室２１に導入される。第２吹出口２２１ａは、冷蔵庫１を正面視した状態において製氷室２１の上段左側に位置している。なお、第２吹出口２２１ａの個数を特に限定するものではない。
【００４５】
第３吹出風路２１２は、温度切替室２２に吹き出す冷気が流れる温度切替室吹出風路として機能する。第３吹出風路２１２の冷気入口には、風量調整装置の１つである第３ダンパー２０２が設けられている。第３ダンパー２０２は、冷蔵庫１を正面視した状態において温度切替室２２の中段に位置している。第３ダンパー２０２は、上述したように制御装置により動作が制御される。これにより、温度切替室２２に吹き出す冷気の風量が調整される。
【００４６】
また、第３吹出風路２１２には第３吹出口２２２が形成されている。第３吹出風路２１２を流れる冷気は、第３吹出口２２２を介して温度切替室２２に導入される。第３吹出口２２２は、冷蔵庫１を正面視した状態において温度切替室２２の上段中央部に位置している。なお、第３吹出口２２２の個数を特に限定するものではない。
【００４７】
第４吹出風路３１１は、野菜室３１に吹き出す冷気が流れる野菜室吹出風路として機能する。第４吹出風路３１１の冷気入口には、風量調整装置の１つである第４ダンパー３０１が設けられている。第４ダンパー３０１は、冷蔵庫１を正面視した状態において温度切替室２２の中段に位置している。第４ダンパー３０１は、上述したように制御装置により動作が制御される。これにより、野菜室３１に吹き出す冷気の風量が調整される。
【００４８】
また、第４吹出風路３１１には第４吹出口３２１が形成されている。第４吹出風路３１１を流れる冷気は、第４吹出口３２１を介して野菜室３１に導入される。第４吹出口３２１は、冷蔵庫１を正面視した状態において野菜室３１の上段右側に位置している。なお、第４吹出口３２１の個数を特に限定するものではない。
【００４９】
第５吹出風路４１１は、冷凍室４１に吹き出す冷気が流れる冷凍室吹出風路として機能する。また、第５吹出風路４１１は、第５戻り風路４１２と前後に重なって形成されている。冷蔵庫１を側面視した状態において、第５吹出風路４１１が前面側に位置し、第５戻り風路４１２が背面部５０Ｆ側に位置している。第５吹出風路４１１には第５吹出口４２１が形成されている。第５吹出風路４１１を流れる冷気は、第５吹出口４２１を介して冷凍室４１に導入される。第５吹出口４２１は、冷蔵庫１を正面視した状態において冷凍室４１の上段中央部に位置している。なお、第５吹出口４２１の個数を特に限定するものではない。
第５吹出風路４１１が、本発明の第１風路に相当する。
【００５０】
第６吹出風路２１１ｂは、図示しないチルド室に吹き出す冷気が流れるチルド室吹出風路として機能する。第６吹出風路２１１ｂの冷気入口には、風量調整装置の１つである第６ダンパー２０１ｂが設けられている。第６ダンパー２０１ｂは、冷蔵庫１を正面視した状態において製氷室２１の中段に位置している。第６ダンパー２０１ｂは、上述したように制御装置により動作が制御される。これにより、チルド室に吹き出す冷気の風量が調整される。
【００５１】
また、第６吹出風路２１１ｂには第６吹出口２２１ｂが形成されている。第６吹出風路２１１ｂを流れる冷気は、第６吹出口２２１ｂを介してチルド室に導入される。第６吹出口２２１ｂは、冷蔵庫１を正面視した状態において冷蔵室１１の下段中央部に位置している。なお、チルド室が設置されていない場合には、第６吹出風路２１１ｂ及び第６ダンパー２０１ｂを設ける必要はない。また、第６吹出口２２１ｂの個数を特に限定するものではない。
【００５２】
第１戻り風路１４１は、冷蔵室１１で冷却に利用された空気が流れる冷蔵室戻り風路として機能する。第１戻り風路１４１には第１戻り口１３１が形成されている。第１戻り口１３１は、冷蔵庫１を正面視した状態において冷蔵室１１の下段右側に位置している。また、第１戻り風路１４１は、第１接合部１５１を介して冷却器室２７と接合される。そのため、第１戻り風路１４１を流れる空気は、第１戻り口１３１及び第１接合部１５１を介して冷却器６００に戻される。
【００５３】
第２戻り風路２４１ａは、製氷室２１で冷却に利用された空気が流れる冷却室戻り風路として機能する。第２戻り風路２４１ａには第２戻り口２３１ａが形成されている。第２戻り口２３１ａは、冷蔵庫１を正面視した状態において製氷室２１の下段左側に位置している。また、第２戻り風路２４１ａは、第２接合部２５１ａを介して冷却器室２７と接合される。そのため、第２戻り風路２４１ａを流れる空気は、第２戻り口２３１ａ及び第２接合部２５１ａを介して冷却器６００に戻される。
【００５４】
第３戻り風路２４２は、温度切替室２２で冷却に利用された空気が流れる温度切替室戻り風路として機能する。第３戻り風路２４２には第３戻り口２３２が形成されている。第３戻り口２３２は、冷蔵庫１を正面視した状態において温度切替室２２の下段中央部に位置している。また、第３戻り風路２４２は、第３接合部２５２を介して冷却器室２７と接合される。そのため、第３戻り風路２４２を流れる空気は、第３戻り口２３２及び第３接合部２５２を介して冷却器６００に戻される。
【００５５】
第４戻り風路３１２は、野菜室３１で冷却に利用された空気が流れる野菜室戻り風路として機能する。第４戻り風路３１２には第４戻り口３３１が形成されている。第４戻り口３３１は、冷蔵庫１を正面視した状態において野菜室３１の下段左側に位置している。また、第４戻り風路３１２は、第４接合部３５１を介して冷却器室２７と接合される。そのため、第４戻り風路３１２を流れる空気は、第４戻り口３３１及び第４接合部３５１を介して冷却器６００の左下より冷却器６００に戻される。
【００５６】
第５戻り風路４１２は、冷凍室４１で冷却に利用された空気が流れる冷凍室戻り風路として機能する。第５戻り風路４１２には第５戻り口４３１が形成されている。第５戻り口４３１は、冷蔵庫１を正面視した状態において冷凍室４１の上段中央部に位置している。また、第５戻り風路４１２は、第５接合部４５１を介して冷却器室２７と接合される。そのため、第５戻り風路４１２を流れる空気は、第５戻り口４３１及び第５接合部４５１を介して冷却器６００の右下より冷却器６００に戻される。
第５戻り風路４１２が、本発明の第２風路に相当する。
【００５７】
図５及び図７を参照しながら、冷却器６００の周辺の空気の流れについて説明する。
冷蔵室１１の空気の循環について説明する。
冷却器６００で生成された冷気は、第１ダンパー１０１により風量が調整され、第１吹出風路１１１を紙面下側から紙面上側に向かって流れ、第１吹出口１２１を介して冷蔵室１１に導入される。冷蔵室１１で利用された冷気は、第１戻り口１３１を介して第１戻り風路１４１を図５及び図７の矢印Ａ１として示すように紙面上側から紙面下側に向かって流れ、第１接合部１５１を介して冷却器６００に戻される。
【００５８】
製氷室２１の空気の循環について説明する。
冷却器６００で生成された冷気は、第２ダンパー２０１ａにより風量が調整され、第２吹出風路２１１ａを流れ、第２吹出口２２１ａを介して製氷室２１に導入される。製氷室２１で利用された冷気は、第２戻り口２３１ａを介して第２戻り風路２４１ａを図５及び図７の矢印Ａ２として示すように紙面上側から紙面下側に向かって流れ、第２接合部２５１ａを介して冷却器６００に戻される。
【００５９】
温度切替室２２の空気の循環について説明する。
冷却器６００で生成された冷気は、第３ダンパー２０２により風量が調整され、第３吹出風路２１２を流れ、第３吹出口２２２を介して温度切替室２２に導入される。温度切替室２２で利用された冷気は、第３戻り口２３２を介して第３戻り風路２４２を図５及び図７の矢印Ａ３として示すように紙面上側から紙面下側に向かって流れ、第３接合部２５２を介して冷却器６００に戻される。
【００６０】
野菜室３１の空気の循環について説明する。
冷却器６００で生成された冷気は、第４ダンパー３０１により風量が調整され、第４吹出風路３１１を流れ、第４吹出口３２１を介して野菜室３１に導入される。野菜室３１で利用された冷気は、第４戻り口３３１を介して第４戻り風路３１２を図５及び図７の矢印Ａ４として示すように紙面左側から紙面右側に向かって流れ、第４接合部３５１を介して冷却器６００に戻される。
【００６１】
野菜室３１からの第４戻り口３３１は、野菜室３１の背面部５０Ｆ側における第４吹出口３２１に対して対角上の下段左側に形成されている。第４戻り口３３１は、１枚の矩形で板状の真空断熱材５００Ａ１の前方投影面上に重ならず、この前方投影面より外側に位置している。第４吹出口３２１より吹き出された冷気は、第４吹出口３２１に対して野菜室３１の内壁の対角の隅部に位置する第４戻り口３３１から排出され、冷却器６００へと導かれ、再び冷却器６００を通過して冷却されるように循環している。
【００６２】
冷凍室４１の空気の循環について説明する。
冷却器６００で生成された冷気は、第５吹出風路４１１を流れ、第５吹出口４２１を介して冷凍室４１に導入される。冷凍室４１で利用された冷気は、第５戻り口４３１を介して第５戻り風路４１２を図５及び図７の矢印Ａ５として示すように紙面下側から紙面上側に向かって流れ、第５接合部４５１を介して冷却器６００に戻される。
【００６３】
次に、真空断熱材５００Ａについて説明する。
図２に示したように、冷蔵庫１は、上から、冷蔵室１１、製氷室２１及び温度切替室２２、野菜室３１、冷凍室４１の順でレイアウトされている。つまり、冷蔵庫１は、上から冷蔵温度帯の貯蔵室と冷凍温度帯の貯蔵室とが交互に入れ替えられて配置される。
【００６４】
冷蔵室１１の底面部、換言すれば製氷室２１及び温度切替室２２の上面部は、壁部５５の１つである仕切り５１となっている。野菜室３１の上面部、換言すれば製氷室２１及び温度切替室２２の底面部は、壁部５５の１つである仕切り５３となっている。野菜室３１の底面部及び冷凍室４１の上面部は、壁部５５の１つである仕切り５４となっている。そして、各仕切りの内部に真空断熱材５００Ａを設けて熱移動を抑制している。
【００６５】
図６を参照しながら、野菜室３１の周囲に配置される真空断熱材５００Ａについて説明する。上述したように、冷蔵庫１では、野菜室３１の前後及び上下を囲むように真空断熱材５００Ａを配置するようにしている。冷却器６００の前面側、つまり野菜室３１の背面側に配置された真空断熱材５００Ａを真空断熱材５００Ａ１と称する。野菜室３１の上面側に配置された真空断熱材５００Ａを真空断熱材５００Ａ２と称する。野菜室３１の前面側に配置された真空断熱材５００Ａを真空断熱材５００Ａ３と称する。野菜室３１の底面側に配置された真空断熱材５００Ａを真空断熱材５００Ａ４と称する。
【００６６】
真空断熱材５００Ａ１は、側面視した状態において、上端が箱体５０の背面部５０Ｆ側、つまり後方に位置し、下端が箱体５０の前面部５０Ａ側、つまり前方に位置するように傾斜配置され、野菜室３１と箱体５０の背面部５０Ｆ側との間の熱移動を抑制している。また、真空断熱材５００Ａ１は、冷却器６００の幅よりも大きな幅を持って構成されている。真空断熱材５００Ａ１の傾斜角度θを特に限定するものではないが、０度＜傾斜角度θ＜１５度の範囲で調整すればよい。なお、傾斜角度θとは、真空断熱材５００Ａの中心線Ｌ１と垂直線Ｌ２とのなす角度である。
【００６７】
真空断熱材５００Ａ２は、仕切り５３の内部に設けられ、野菜室３１と製氷室２１及び温度切替室２２との間の熱移動を抑制している。真空断熱材５００Ａ２の後方端は、野菜室３１に収納された第２野菜室貯蔵ケース４２０Ｂの上方開放端の後方端よりも長さＤ１分後方に位置している。こうすることで、製氷室２１及び温度切替室２２からの吸熱で、第２野菜室貯蔵ケース４２０Ｂが低温になることを抑制している。
【００６８】
ただし、真空断熱材５００Ａ２を備えているものの、真空断熱材５００Ａ２で野菜室３１の幅及び奥行きにわたり全部を覆うことは困難である。そのため、野菜室３１の前後端部及び左右端部の周辺は、冷凍温度帯の貯蔵室からの吸熱量が多くなる。また、真空断熱材５００Ａ２は、アルミなどの金属を蒸着した樹脂製の袋、あるいは、金属の箔を重ねた樹脂製の袋で、ガラス繊維などからなる芯材を包んだ構成となっている。真空断熱材５００Ａは、真空包装後に、袋の端部である耳が残り、それを折り畳んで設置されることが一般的である。そのため、真空断熱材５００Ａ２は、金属層の熱輸送、つまりヒートブリッジが生じ、この影響もあり、真空断熱材５００Ａ２の前後端部及び左右端部の周辺の断熱効果は、中央部の断熱効果に比べて劣る傾向がある。
【００６９】
さらに、箱体５０の背面部５０Ｆ側に風路構成部品を備えるにあたり、真空断熱材５００Ａ２を内蔵した仕切り５３は、風路構成部品を箱体５０に取り付けた後に、取り付けた方が、組み立てが容易になる。しかしながら、この場合、風路構成部品と仕切り５３とを接合し、仕切り５３と箱体５０の左右側壁とを接合しなければならず、冷気漏れを完全に遮断できない可能性がある。
そのため、仕切り５３の前後左右端が低温になることも想定され、野菜室３１に貯蔵された野菜から蒸散した水分が局所的に結露したり、程度によっては霜又は氷結したりする可能性もある。
【００７０】
そこで、冷蔵庫１では、蓋構造体４３０を備えることで、第１野菜室貯蔵ケース４２０Ａ及び第２野菜室貯蔵ケース４２０Ｂに収納された野菜から蒸散された水分を極力閉じ込めることを可能としている。また、冷蔵庫１では、蓋構造体４３０を備えることで、水分を閉じ込めるだけでなく、第１野菜室貯蔵ケース４２０Ａ及び第２野菜室貯蔵ケース４２０Ｂの内部を高湿度に保つことを可能としている。したがって、冷蔵庫１によれば、第１野菜室貯蔵ケース４２０Ａ及び第２野菜室貯蔵ケース４２０Ｂに収納された野菜からの蒸散をさらに抑制でき、仕切り５３等への結露又は霜付きといったユーザに不利益な現象の発生を抑制することが可能になっている。
なお、風路構成部品には、吹出風路１１０及び戻り風路１４０を形成する備品、及び、風量調整装置が含まれる。
【００７１】
真空断熱材５００Ａ３は、野菜室３１の扉部３１Ａの内部に設けられ、野菜室３１と冷蔵庫１の外部との間の熱移動を抑制している。
真空断熱材５００Ａ４は、仕切り５４の内部に設けられ、野菜室３１と冷凍室４１との間の熱移動を抑制している。真空断熱材５００Ａ４の後方端は、野菜室３１に収納された第１野菜室貯蔵ケース４２０Ａの底面の後方端よりも長さＤ２分後方に位置している。こうすることで、冷凍室４１からの吸熱で、第１野菜室貯蔵ケース４２０Ａが低温になることを抑制している。
【００７２】
このように、冷蔵庫１では、仕切り５３に真空断熱材５００Ａ２を設置し、仕切り５４に真空断熱材５００Ａ４を設置している。こうすることで、野菜室３１の上下に位置する冷凍温度帯の貯蔵室からの吸熱で、野菜室３１の第１野菜室貯蔵ケース４２０Ａ及び第２野菜室貯蔵ケース４２０Ｂの内部が低温になることを抑制している。
【００７３】
次に、真空断熱材５００Ａ１と空気循環経路８０の一部との関係について説明する。
真空断熱材５００Ａ１は、冷却器６００の前面側に設置されている。また、真空断熱材５００Ａ１は、下端が箱体５０の前面部５０Ａ側に位置し、上端が箱体５０の背面部５０Ｆ側に傾斜した配置で固定されている。さらに、真空断熱材５００Ａ１は、冷却器６００の幅よりも大きな幅を持って構成されている。
【００７４】
そして、図５に示すように、真空断熱材５００Ａの幅方向から外れた冷却器６００の右側面には、第１戻り風路１４１が形成されるようになっている。また、第３戻り風路２４２及び第４戻り風路３１２は、第１戻り風路１４１の前方に形成されるようになっている。冷却器６００の左側面は野菜室３１との壁部を構成し、その一部が第４戻り風路３１２として機能する。
【００７５】
すなわち、冷蔵庫１では、真空断熱材５００Ａ１の幅よりも外側に第１戻り風路１４１が形成されるので、矩形の１枚の板形状で構成された真空断熱材５００Ａ１を用いることができる。このような真空断熱材５００Ａ１を用いることとすれば、真空断熱材５００Ａ１の角部の面取り及び穴あけをする必要がなく、あるいは、真空断熱材５００Ａ１を多数構成とする必要がない。したがって、冷蔵庫１によれば、加工及び製造コストの増大を抑制することができる。そのため、冷蔵庫１は、組み立てが簡便なものとなり、製造効率がよいものとなる。
【００７６】
また、真空断熱材５００Ａ１の背面側であって真空断熱材５００Ａ１の幅方向投影範囲内には、真空断熱材５００Ａ１の傾斜と略並行となるように第５吹出風路４１１が形成されている。さらに、第５吹出風路４１１の背面側には、第５戻り風路４１２が形成されている。第５吹出風路４１１及び第５戻り風路４１２は、同幅で構成されている。冷蔵庫１を正面視した状態において、第５吹出風路４１１と第５戻り風路４１２は重なるように配置されている。第５戻り風路４１２路は、冷却器６００の前面の下端から中段にかけて空気が流入するように、冷却器室２７に接合される構成となっている。なお、第５吹出風路４１１の幅と第５戻り風路４１２の幅とが完全に同じ幅である必要はない。
【００７７】
一般的な冷蔵庫において、野菜室の背面部側の真空断熱材を垂直配置すると、箱体の奥行き方向において下端の位置と、上端の位置と、が一致することになる。そのため、野菜室の背面部側の上下のいずれの空間も拡大することができず、またその空間に風路を形成しなければならず、複雑な風路構成を採用することしかできない。それに対し、冷蔵庫１では、真空断熱材５００Ａ１を傾斜配置したことにより、野菜室３１の上方の空間、つまり野菜室３１の容積の拡大が図れる。つまり、冷蔵庫１によれば、野菜室３１の上部の奥行きを深い構造とすることができる。
【００７８】
この部分に、移動自在な第２野菜室貯蔵ケース４２０Ｂを収納するようになっている。真空断熱材５００Ａ１を傾斜配置したことで、野菜室３１の上方の空間の拡大を図れるが、一方で第１野菜室貯蔵ケース４２０Ａを真空断熱材５００Ａの傾斜配置に対応させた形状とする必要がある。つまり、第１野菜室貯蔵ケース４２０Ａの収納容積は拡大できるが、ユーザの利便性を損ねる形状につながってしまう可能性がある。それに対し、冷蔵庫１では、第１野菜室貯蔵ケース４２０Ａ及び第２野菜室貯蔵ケース４２０Ｂを重ねた配置とすることで、収納に無効な容積を縮小でき、かつ、食品サイズに応じた整理性の向上も図ることができる。
【００７９】
また、真空断熱材５００Ａ１を傾斜配置したことにより、箱体５０の野菜室３１の背面部５０Ｆ側の空間の拡大が図れる。そのため、野菜室３１の背面部５０Ｆ側に位置する第５吹出風路４１１及び第５戻り風路４１２を直線的に構成することができる。したがって、最も冷却能力が必要となる冷凍室４１への第５吹出風路４１１及び第５戻り風路４１２の曲がり及び風路面積の変化を少なくでき、圧力損失の低減を図ることができる。さらに、第５戻り風路４１２は、冷却器６００の前面の下端から中段にかけて空気がするように形成でき、冷却器６００の前面前縁へ空気を流入でき、冷却器６００の熱交換効率を高めることが可能になる。
【００８０】
＜冷蔵庫１の奏する効果＞
以上のように、冷蔵庫１は、真空断熱材５００Ａ１が、下端が前面部５０Ａ側に位置し、上端が背面部５０Ｆ側に位置するように傾斜して配置されているので、野菜室３１の容積の拡大が図れる。
【００８１】
冷蔵庫１は、真空断熱材５００Ａ４の後方端が、第１野菜室貯蔵ケース４２０Ａの底面の後方端よりも背面部５０Ｆ側に位置し、真空断熱材５００Ａ２の後方端が、第２野菜室貯蔵ケース４２０Ｂの上方の後方端よりも背面部５０Ｆ側に位置する。
そのため、冷蔵庫１によれば、製氷室２１、温度切替室２２、及び、冷凍室４１からの吸熱で、第１野菜室貯蔵ケース４２０Ａ及び第２野菜室貯蔵ケース４２０Ｂが低温になることを抑制している。
【００８２】
冷蔵庫１は、第５吹出風路４１１及び第５戻り風路４１２が、前後に重なって形成され、第５戻り風路４１２が、冷却器６００の前面の下端から中段にかけて空気を戻すように構成されている。
そのため、冷蔵庫１によれば、冷却器６００の熱交換効率を高めることが可能になる。
【００８３】
冷蔵庫１は、ヒレ部４３０Ａが形成され、第２野菜室貯蔵ケース４２０Ｂの上方開放面を覆う蓋構造体４３０が設けられている。
そのため、冷蔵庫１によれば、野菜室３１に水分を閉じ込めるだけでなく、第１野菜室貯蔵ケース４２０Ａ及び第２野菜室貯蔵ケース４２０Ｂの内部を高湿度に保つことができる。
【００８４】
冷蔵庫１は、上から、製氷室２１、野菜室３１、冷凍室４１の順でレイアウトされているので、断熱効果を維持しつつ、ユーザの利便性の向上を図ることができる。
【００８５】
実施の形態２．
図８は、本発明の実施の形態２に係る冷蔵庫１Ａの一部の断面を拡大して概略的に示す断面図である。図８に基づいて、本発明の実施の形態２に係る冷蔵庫１Ａについて説明する。図８は、実施の形態１で示した図６に対応するものである。図８では、空気の流れを矢印で示している。
なお、実施の形態２では実施の形態１との相違点を中心に説明し、実施の形態１と同一部分には、同一符号を付して説明を省略するものとする。
【００８６】
実施の形態２では、第５吹出風路４１１の構成が実施の形態１で説明した第５吹出風路４１１と相違している。実施の形態１の第５吹出風路４１１と便宜的に区別するために、実施の形態２では第５吹出風路４１１ａとして説明する。実施の形態２のそれ以外の構成については、実施の形態１で説明した通りである。ただし、図８に示すように、冷凍室４１には、第１冷凍室貯蔵ケース４４０Ａ及び第２冷凍室貯蔵ケース４４０Ｂが収納されている。
【００８７】
第２冷凍室貯蔵ケース４４０Ｂは、第１冷凍室貯蔵ケース４４０Ａの上方に配置されており、容積が第１冷凍室貯蔵ケース４４０Ａよりも小さいものとなっている。第２冷凍室貯蔵ケース４４０Ｂが第１冷凍室貯蔵ケース４４０Ａに収納され、扉部３１Ａが閉じられた状態において、第２冷凍室貯蔵ケース４４０Ｂの後方の上方開放端は、第１冷凍室貯蔵ケース４４０Ａの後方の上方解放端よりも前方に位置している。なお、冷凍室４１に収納する貯蔵ケースの個数を特に限定するものではないが、少なくとも第１冷凍室貯蔵ケース４４０Ａ及び第２冷凍室貯蔵ケース４４０Ｂが収納されていればよい。
【００８８】
第５吹出風路４１１ａは、実施の形態１で説明した第５吹出風路４１１と同様に、冷凍室４１に吹き出す冷気が流れる冷凍室吹出風路として機能する。第５吹出風路４１１ａは、冷凍室４１において分岐されている。分岐された一方の第５吹出風路４１１ａを下段第５吹出風路４１１ａ−１と称し、分岐された他方の第５吹出風路４１１ａを上段第５吹出風路４１１ａ−２と称する。
【００８９】
下段第５吹出風路４１１ａ−１は、冷凍室４１の第１冷凍室貯蔵ケース４４０Ａに吹き出す冷気が流れる冷凍室吹出風路として機能する。下段第５吹出風路４１１ａ−１には図示省略の吹出口が形成されている。下段第５吹出風路４１１ａ−１を流れる冷気は、吹出口を介して冷凍室４１の第１冷凍室貯蔵ケース４４０Ａに導入される。なお、下段第５吹出風路４１１ａ−１の吹出口は、冷蔵庫１Ａを正面視した状態において上段第５吹出風路４１１ａ−２の吹出口よりも下方位置に形成するとよい。なお、下段第５吹出風路４１１ａ−１の吹出口の個数を特に限定するものではない。
【００９０】
上段第５吹出風路４１１ａ−２は、冷凍室４１の第２冷凍室貯蔵ケース４４０Ｂに吹き出す冷気が流れる冷凍室吹出風路として機能する。上段第５吹出風路４１１ａ−２には図示省略の吹出口が形成されている。上段第５吹出風路４１１ａ−２を流れる冷気は、吹出口を介して冷凍室４１の第２冷凍室貯蔵ケース４４０Ｂに導入される。なお、上段第５吹出風路４１１ａ−２の吹出口は、冷蔵庫１Ａを正面視した状態において下段第５吹出風路４１１ａ−１の吹出口よりも上方位置に形成するとよい。なお、上段第５吹出風路４１１ａ−２の吹出口の個数を特に限定するものではない。
【００９１】
冷凍室４１の空気の循環について説明する。
冷却器６００で生成された冷気は、第５吹出風路４１１を流れ、下段第５吹出風路４１１ａ−１と上段第５吹出風路４１１ａ−２とに分岐される。
下段第５吹出風路４１１ａ−１を流れる冷気は、下段第５吹出風路４１１ａ−１に形成されている吹出口を介して冷凍室４１に導入される。冷凍室４１に導入された冷気は、第１冷凍室貯蔵ケース４４０Ａに導かれ、第１冷凍室貯蔵ケース４４０Ａに収納されている食品などを冷却する。冷凍室４１で利用された冷気は、図示省略の戻り口を介して第５戻り風路４１２を図８に示すように紙面下側から紙面上側に向かって流れ、冷却器６００に戻される。
【００９２】
上段第５吹出風路４１１ａ−２を流れる冷気は、上段第５吹出風路４１１ａ−２に形成されている吹出口を介して冷凍室４１に導入される。冷凍室４１に導入された冷気は、第２冷凍室貯蔵ケース４４０Ｂに導かれ、第２冷凍室貯蔵ケース４４０Ｂに収納されている食品などを冷却する。冷凍室４１で利用された冷気は、第１冷凍室貯蔵ケース４４０Ａで冷却に利用された冷気と合流し、図示省略の戻り口を介して第５戻り風路４１２を図８に示すように紙面下側から紙面上側に向かって流れ、冷却器６００に戻される。
【００９３】
＜冷蔵庫１Ａの奏する効果＞
以上のように、冷蔵庫１Ａは、第５吹出風路４１１が、真空断熱材５００Ａ１の幅方向に２分岐された後、さらに上下に２分岐されているので、冷凍室４１に効果的に冷気を導入することができ、冷凍室４１の冷却効果を向上することができる。
【００９４】
実施の形態３．
図９は、本発明の実施の形態３に係る冷蔵庫１Ｂの空気循環経路８０を説明するための概略図である。図１０は、図９のＺ−Ｚ断面を概略的に示す断面図である。図１１は、冷蔵庫１Ｂの空気の流れを概略的に示す説明図である。図９〜図１１に基づいて、冷蔵庫１Ｂについて説明する。なお、図９〜図１１では、空気の流れを矢印で示している。なお、図９では、冷蔵室１１にチルド室が設置されている場合を例に示している。
なお、実施の形態３では実施の形態１及び実施の形態２との相違点を中心に説明し、実施の形態１及び実施の形態２と同一部分には、同一符号を付して説明を省略するものとする。
【００９５】
冷蔵庫１Ｂの風路構成について具体的に説明する。
実施の形態１に係る冷蔵庫１と同様に、冷蔵庫１Ｂは、吹出風路１１０及び戻り風路１４０を有している。
【００９６】
第５吹出風路４１１は、図９に示すように、冷蔵庫１Ｂを正面視した状態において野菜室３１の背面部５０Ｆ側で２つに分岐されている。分岐された一方の第５吹出風路４１１を左側第５吹出風路４１１Ａと称し、分岐された他方の第５吹出風路４１１を右側第５吹出風路４１１Ｂと称する。
【００９７】
左側第５吹出風路４１１Ａには第５吹出口４２１Ａが形成されている。左側第５吹出風路４１１Ａを流れる冷気は、第５吹出口４２１Ａを介して冷凍室４１に導入される。第５吹出口４２１Ａは、冷蔵庫１Ｂを正面視した状態において冷凍室４１の上段左側に位置している。なお、第５吹出口４２１Ａの個数を特に限定するものではない。
【００９８】
右側第５吹出風路４１１Ｂには第５吹出口４２１Ｂが形成されている。右側第５吹出風路４１１Ｂを流れる冷気は、第５吹出口４２１Ｂを介して冷凍室４１に導入される。第５吹出口４２１Ｂは、冷蔵庫１Ｂを正面視した状態において冷凍室４１の上段右側に位置している。なお、第５吹出口４２１Ｂの個数を特に限定するものではない。
【００９９】
第１戻り風路１４１は、空気出口５５１を介して野菜室３１と接合される。そのため、第１戻り風路１４１を流れる空気は、第１戻り口１３１及び空気出口５５１を介して野菜室３１に導入される。野菜室３１に導入した冷気は、野菜室３１の冷却に利用された後、第４戻り風路３１２を介して冷却器６００に戻される。
第３戻り口２３２は、冷蔵庫１Ｂを正面視した状態において温度切替室２２の下段右側に位置している。
第４戻り口３３１は、冷蔵庫１Ｂを正面視した状態において野菜室３１の下段中央部に位置している。
【０１００】
第５戻り風路４１２は、第５吹出風路４１１の分岐数に対応して構成されている。また、第５戻り風路４１２は、第５吹出風路４１１と前後に重なって形成されている。分岐された一方の第５戻り風路４１２を左側第５戻り風路４１２Ａと称し、分岐された他方の第５戻り風路４１２を右側第５戻り風路４１２Ｂと称する。
【０１０１】
左側第５戻り風路４１２Ａには第５戻り口４３１Ａが形成されている。第５戻り口４３１Ａは、冷蔵庫１Ｂを正面視した状態において冷凍室４１の上段左側に位置している。また、左側第５戻り風路４１２Ａは、第５接合部４５１Ａを介して冷却器室２７と接合される。そのため、左側第５戻り風路４１２Ａを流れる空気は、第５戻り口４３１Ａ及び第５接合部４５１Ａを介して冷却器６００に戻される。
【０１０２】
右側第５戻り風路４１２Ｂには第５戻り口４３１Ｂが形成されている。第５戻り口４３１Ｂは、冷蔵庫１Ｂを正面視した状態において冷凍室４１の上段右側に位置している。また、右側第５戻り風路４１２Ｂは、第５接合部４５１Ｂを介して冷却器室２７と接合される。そのため、右側第５戻り風路４１２Ｂを流れる空気は、第５戻り口４３１Ｂ及び第５接合部４５１Ｂを介して冷却器６００に戻される。
【０１０３】
図９及び図１１を参照しながら、冷却器６００の周辺の空気の流れについて説明する。
冷蔵室１１の空気の循環について説明する。
冷却器６００で生成された冷気は、第１ダンパー１０１により風量が調整され、第１吹出風路１１１を紙面下側から紙面上側に向かって流れ、第１吹出口１２１を介して冷蔵室１１に導入される。冷蔵室１１で利用された冷気は、第１戻り口１３１を介して第１戻り風路１４１を紙面上側から紙面下側に向かって流れ、空気出口５５１を介して野菜室３１に導入される。
【０１０４】
製氷室２１の空気の循環について説明する。
冷却器６００で生成された冷気は、第２ダンパー２０１ａにより風量が調整され、第２吹出風路２１１ａを流れ、第２吹出口２２１ａを介して製氷室２１に導入される。製氷室２１で利用された冷気は、第２戻り口２３１ａを介して第２戻り風路２４１ａを紙面上側から紙面下側に向かって流れ、第２接合部２５１ａを介して冷却器６００に戻される。
【０１０５】
温度切替室２２の空気の循環について説明する。
冷却器６００で生成された冷気は、第３ダンパー２０２により風量が調整され、第３吹出風路２１２を流れ、第３吹出口２２２を介して温度切替室２２に導入される。温度切替室２２で利用された冷気は、第３戻り口２３２を介して第３戻り風路２４２を紙面上側から紙面下側に向かって流れ、第３接合部２５２を介して冷却器６００に戻される。
【０１０６】
野菜室３１の空気の循環について説明する。
冷却器６００で生成された冷気は、第４ダンパー３０１により風量が調整され、第４吹出風路３１１を流れ、第４吹出口３２１を介して野菜室３１に導入される。野菜室３１で利用された冷気は、第４戻り口３３１を介して第４戻り風路３１２を紙面下側から紙面上側に向かって流れ、第４接合部３５１を介して冷却器６００に戻される。
なお、冷蔵室１１を経由して野菜室３１に導入された冷気も、第４戻り口３３１及び第４接合部３５１を介して冷却器６００に戻される。
【０１０７】
第４戻り口３３１は、１枚の矩形で板状の真空断熱材５００Ａ１の前方投影面上に重ならず、この前方投影面より下方外側に位置している。第４吹出口３２１より吹き出された冷気は、野菜室３１の下方中央部に位置する第４戻り口３３１から排出され、冷却器６００へと導かれ、再び冷却器６００を通過して冷却されるように循環している。
【０１０８】
冷凍室４１の空気の循環について説明する。
冷却器６００で生成された冷気は、第５吹出風路４１１を流れ、左側第５吹出風路４１１Ａと右側第５吹出風路４１１Ｂとに分岐される。左側第５吹出風路４１１Ａに分岐された冷気は、第５吹出口４２１Ａを介して冷凍室４１に導入される。右側第５吹出風路４１１Ｂに分岐された冷気は、第５吹出口４２１Ｂを介して冷凍室４１に導入される。冷凍室４１で利用された冷気は、第５戻り口４３１Ａ及び第５戻り口４３１Ｂを介して左側第５戻り風路４１２Ａ及び右側第５戻り風路４１２Ｂを紙面下側から紙面上側に向かって流れ、第５接合部４５１Ａ及び第５接合部４５１Ｂを介して冷却器６００に戻される。
【０１０９】
次に、真空断熱材５００Ａについて説明する。
実施の形態１に係る冷蔵庫１と同様に、冷蔵庫１Ｂは、上から、冷蔵室１１、製氷室２１及び温度切替室２２、野菜室３１、冷凍室４１の順でレイアウトされている。つまり、冷蔵庫１Ｂは、上から冷蔵温度帯の貯蔵室と冷凍温度帯の貯蔵室とが交互に入れ替えられて配置される。
【０１１０】
真空断熱材５００Ａ１は、側面視した状態において、垂直方向に長手方向が延びるように配置され、野菜室３１と箱体５０の背面部５０Ｆ側との間の熱移動を抑制している。また、真空断熱材５００Ａ１は、冷却器６００の幅よりも大きな幅を持って構成されている。
【０１１１】
真空断熱材５００Ａ２は、仕切り５３の内部に設けられ、野菜室３１と製氷室２１及び温度切替室２２との間の熱移動を抑制している。真空断熱材５００Ａ２の後方端は、野菜室３１に収納された第２野菜室貯蔵ケース４２０Ｂの上方開放端の後方端よりも後方に位置している。こうすることで、冷凍室４１からの吸熱で、第１野菜室貯蔵ケース４２０Ａが低温になることを抑制している。
【０１１２】
真空断熱材５００Ａ３は、野菜室３１の扉部３１Ａの内部に設けられ、野菜室３１と冷蔵庫１Ｂの外部との間の熱移動を抑制している。
真空断熱材５００Ａ４は、仕切り５３の内部に設けられ、野菜室３１と冷凍室４１との間の熱移動を抑制している。真空断熱材５００Ａ４の後方端は、野菜室３１に収納された第１野菜室貯蔵ケース４２０Ａの底面の後方端よりも長さＤ２分後方に位置している。こうすることで、製氷室２１及び温度切替室２２からの吸熱で、第１野菜室貯蔵ケース４２０Ａが低温になることを抑制している。
【０１１３】
次に、真空断熱材５００Ａ１と空気循環経路８０の一部との関係について説明する。
真空断熱材５００Ａ１は、冷却器６００の前面側に設置されている。また、真空断熱材５００Ａ１は、冷却器６００の幅よりも大きな幅を持って構成されている。そのため、冷蔵庫１Ｂでは、高い断熱効果が得られることになる。
【０１１４】
そして、図９に示すように、真空断熱材５００Ａの幅方向から外れた冷却器６００の右側面には、第１戻り風路１４１が形成されるようになっている。冷却器６００の下面は野菜室３１との壁部を構成し、その一部が第４戻り風路３１２として機能する。
【０１１５】
すなわち、冷蔵庫１Ｂでは、真空断熱材５００Ａ１の幅よりも外側に第１戻り風路１４１が形成されるので、矩形の１枚の板形状で構成された真空断熱材５００Ａ１を用いることができる。
【０１１６】
上述したように、真空断熱材５００Ａ１が垂直配置され、真空断熱材５００Ａ１の背面側には冷却器６００が設置されている。また、冷蔵庫１Ｂでは、第５吹出風路４１１及び第５戻り風路４１２を分岐して、分岐した間に第４戻り口３３１を形成するようにしている。つまり、第４戻り口３３１は、冷蔵庫１Ｂを正面視した状態において、左側第５吹出風路４１１Ａ及び左側第５戻り風路４１２Ａと、右側第５吹出風路４１１Ｂ及び右側第５戻り風路４１２Ｂとの間に位置している。そのため、冷蔵庫１Ｂによれば、野菜室３１の背面部５０Ｆ側の空間を有効活用するようにしている。
【０１１７】
一般的な冷蔵庫において、野菜室の背面部側の真空断熱材を垂直配置すると、箱体の奥行き方向において下端の位置と、上端の位置と、が一致することになる。そのため、野菜室の背面部５０Ｆ側の上下のいずれの空間も拡大することができず、またその空間に風路を形成しなければならず、複雑な風路構成を採用することしかできない。
それに対し、冷蔵庫１Ｂでは、真空断熱材５００Ａ１を垂直配置しつつ、第５吹出風路４１１及び第５戻り風路４１２を分岐して、分岐した間に第４戻り口３３１を形成することで、風路構成を複雑にすることなく、野菜室３１の背面部５０Ｆ側の空間の拡大が図れる。
【０１１８】
第４戻り風路３１２及び第５戻り風路４１２は、冷却器６００の下端から空気が流入するように形成でき、冷却器６００の前面前縁へ空気を流入でき、冷却器６００の熱交換効率を高めることが可能になる。
【０１１９】
＜冷蔵庫１Ｂの奏する効果＞
以上のように、冷蔵庫１Ｂは、真空断熱材５００Ａ１の後方に、第５吹出風路４１１と、第５戻り風路４１２と、を設け、第５吹出風路４１１及び第５戻り風路４１２が、前後に重なって形成され、真空断熱材５００Ａ１の幅方向に２分岐されている。
そのため、冷蔵庫１Ｂによれば、風路構成を複雑化することなく、風路構成の簡便化を図れる。
【０１２０】
冷蔵庫１Ｂは、第４戻り口３３１が、正面視した状態において、野菜室３１の背面部５０Ｆであって分岐された左側第５吹出風路４１１Ａ及び左側第５戻り風路４１２Ａと、右側第５吹出風路４１１Ｂ及び右側第５戻り風路４１２Ｂと、の間に形成されている。
そのため、冷蔵庫１Ｂによれば、風路構成を複雑化することなく、野菜室３１の背面部５０Ｆ側の空間を有効活用が図れる。
【０１２１】
冷蔵庫１Ｂは、真空断熱材５００Ａ１が、冷却器６００の幅よりも大きな幅を有しているので、高い断熱効果が得られる。
【０１２２】
実施の形態４．
図１２は、本発明の実施の形態４に係る冷蔵庫１Ｃの一部の断面を拡大して概略的に示す断面図である。図１２に基づいて、本発明の実施の形態４に係る冷蔵庫１Ｃについて説明する。図１２は、実施の形態３で示した図１０に対応するものである。図１２では、空気の流れを矢印で示している。
なお、実施の形態４では実施の形態１〜実施の形態３との相違点を中心に説明し、実施の形態１〜実施の形態３と同一部分には、同一符号を付して説明を省略するものとする。
【０１２３】
実施の形態４では、第５吹出風路４１１の構成が実施の形態３で説明した第５吹出風路４１１と相違している。実施の形態３の第５吹出風路４１１と便宜的に区別するために、実施の形態４では第５吹出風路４１１Ｃとして説明する。実施の形態４のそれ以外の構成については、実施の形態３で説明した通りである。ただし、図１２に示すように、冷凍室４１には、第１冷凍室貯蔵ケース４４０Ａ及び第２冷凍室貯蔵ケース４４０Ｂが収納されている。
【０１２４】
第２冷凍室貯蔵ケース４４０Ｂは、第１冷凍室貯蔵ケース４４０Ａの上方に配置されており、容積が第１冷凍室貯蔵ケース４４０Ａよりも小さいものとなっている。第２冷凍室貯蔵ケース４４０Ｂが第１冷凍室貯蔵ケース４４０Ａに収納され、扉部３１Ａが閉じられた状態において、第２冷凍室貯蔵ケース４４０Ｂの後方の上方開放端は、第１冷凍室貯蔵ケース４４０Ａの後方の上方解放端よりも前方に位置している。なお、冷凍室４１に収納する貯蔵ケースの個数を特に限定するものではないが、少なくとも第１冷凍室貯蔵ケース４４０Ａ及び第２冷凍室貯蔵ケース４４０Ｂが収納されていればよい。
【０１２５】
第５吹出風路４１１Ｃは、実施の形態１で説明した第５吹出風路４１１と同様に、冷凍室４１に吹き出す冷気が流れる冷凍室吹出風路として機能する。第５吹出風路４１１は、左側第５吹出風路４１１Ａと右側第５吹出風路４１１Ｂとに分岐される。そして、冷蔵庫１Ｃでは、左側第５吹出風路４１１Ａ及び右側第５吹出風路４１１Ｂがさらに分岐されるようになっている。ここでは、第５吹出風路４１１Ｃが左側第５吹出風路４１１Ａであるものとして説明する。
【０１２６】
図１２に示すように、第５吹出風路４１１Ｃは、冷凍室４１において分岐されている。分岐された一方の第５吹出風路４１１Ｃを下段第５吹出風路４１１Ｃ−１と称し、分岐された他方の第５吹出風路４１１Ｃを上段第５吹出風路４１１Ｃ−２と称する。
【０１２７】
下段第５吹出風路４１１Ｃ−１は、冷凍室４１の第１冷凍室貯蔵ケース４４０Ａに吹き出す冷気が流れる冷凍室吹出風路として機能する。下段第５吹出風路４１１Ｃ−１には図示省略の吹出口が形成されている。下段第５吹出風路４１１Ｃ−１を流れる冷気は、吹出口を介して冷凍室４１の第１冷凍室貯蔵ケース４４０Ａに導入される。なお、下段第５吹出風路４１１Ｃ−１の吹出口は、冷蔵庫１Ｃを正面視した状態において上段第５吹出風路４１１Ｃ−２の吹出口よりも下方位置に形成するとよい。下段第５吹出風路４１１Ｃ−１の吹出口の個数を特に限定するものではない。
【０１２８】
上段第５吹出風路４１１Ｃ−２は、冷凍室４１の第２冷凍室貯蔵ケース４４０Ｂに吹き出す冷気が流れる冷凍室吹出風路として機能する。上段第５吹出風路４１１Ｃ−２には図示省略の吹出口が形成されている。上段第５吹出風路４１１Ｃ−２を流れる冷気は、吹出口を介して冷凍室４１の第２冷凍室貯蔵ケース４４０Ｂに導入される。なお、上段第５吹出風路４１１Ｃ−２の吹出口は、冷蔵庫１Ｃを正面視した状態において下段第５吹出風路４１１Ｃ−１の吹出口よりも上方位置に形成するとよい。なお、上段第５吹出風路４１１Ｃ−２の吹出口の個数を特に限定するものではない。
【０１２９】
冷凍室４１の空気の循環について説明する。
冷却器６００で生成された冷気は、第５吹出風路４１１Ｃを流れ、下段第５吹出風路４１１Ｃ−１と上段第５吹出風路４１１Ｃ−２とに分岐される。
下段第５吹出風路４１１Ｃ−１を流れる冷気は、下段第５吹出風路４１１Ｃ−１に形成されている吹出口を介して冷凍室４１に導入される。冷凍室４１に導入された冷気は、第１冷凍室貯蔵ケース４４０Ａに導かれ、第１冷凍室貯蔵ケース４４０Ａに収納されている食品などを冷却する。冷凍室４１で利用された冷気は、第５戻り口４３１Ａを介して第５戻り風路４１２を図８に示すように紙面下側から紙面上側に向かって流れ、冷却器６００に戻される。
【０１３０】
上段第５吹出風路４１１Ｃ−２を流れる冷気は、上段第５吹出風路４１１Ｃ−２に形成されている吹出口を介して冷凍室４１に導入される。冷凍室４１に導入された冷気は、第２冷凍室貯蔵ケース４４０Ｂに導かれ、第２冷凍室貯蔵ケース４４０Ｂに収納されている食品などを冷却する。冷凍室４１で利用された冷気は、第１冷凍室貯蔵ケース４４０Ａで冷却に利用された冷気と合流し、第５戻り口４３１Ａを介して第５戻り風路４１２を図８に示すように紙面下側から紙面上側に向かって流れ、冷却器６００に戻される。
【０１３１】
＜冷蔵庫１Ｃの奏する効果＞
以上のように、冷蔵庫１Ｃは、第５吹出風路４１１が、真空断熱材５００Ａ１の幅方向に２分岐された後、さらに上下に２分岐されているので、冷凍室４１に効果的に冷気を導入することができ、冷凍室４１の冷却効果を向上することができる。
【０１３２】
以上、本発明の実施の形態を４つの実施の形態に分けて説明したが、各実施の形態を適宜組み合わせることができるものとする。
【符号の説明】
【０１３３】
１  冷蔵庫、１Ａ  冷蔵庫、１Ｂ  冷蔵庫、１Ｃ  冷蔵庫、１１  冷蔵室、１１Ａ  扉部、２１  製氷室、２１Ａ  扉部、２２  温度切替室、２２Ａ  扉部、２７  冷却器室、３１  野菜室、３１Ａ  扉部、３１Ｂ  床面、４１  冷凍室、４１ａ  扉部、５０  箱体、５０Ａ  前面部、５０Ｂ  上面部、５０Ｃ  底面部、５０Ｄ  右側面部、５０Ｅ  左側面部、５０Ｆ  背面部、５１  仕切り、５１Ａ  仕切り、５１Ｂ  仕切り、５２  仕切り、５３  仕切り、５３Ａ  仕切り、５３Ｂ  仕切り、５４  仕切り、５５  壁部、５６  板金、５７  内箱、７０  冷媒回路、７１  圧縮機、７２  空冷凝縮器、７３  放熱パイプ、７４  露付き防止パイプ、７５  ドライヤ、７６  減圧装置、８０  空気循環経路、１０１  第１ダンパー、１１０  吹出風路、１１１  第１吹出風路、１２１  第１吹出口、１３１  第１戻り口、１４０  戻り風路、１４１  第１戻り風路、１５１  第１接合部、２０１ａ  第２ダンパー、２０１ｂ  第６ダンパー、２０２  第３ダンパー、２１１ａ  第２吹出風路、２１１ｂ  第６吹出風路、２１２  第３吹出風路、２２１ａ  第２吹出口、２２１ｂ  第６吹出口、２２２  第３吹出口、２３１ａ  第２戻り口、２３２  第３戻り口、２４１ａ  第２戻り風路、２４２  第３戻り風路、２５１ａ  第２接合部、２５２  第３接合部、３０１  第４ダンパー、３１１  第４吹出風路、３１２  第４戻り風路、３２１  第４吹出口、３３１  第４戻り口、３５１  第４接合部、４１１  第５吹出風路、４１１Ａ  左側第５吹出風路、４１１Ｂ  右側第５吹出風路、４１１Ｃ  第５吹出風路、４１１Ｃ−１  下段第５吹出風路、４１１Ｃ−２  上段第５吹出風路、４１１ａ  第５吹出風路、４１１ａ−１  下段第５吹出風路、４１１ａ−２  上段第５吹出風路、４１２  第５戻り風路、４１２Ａ  左側第５戻り風路、４１２Ｂ  右側第５戻り風路、４２０Ａ  第１野菜室貯蔵ケース、４２０Ｂ  第２野菜室貯蔵ケース、４２１  第５吹出口、４２１Ａ  第５吹出口、４２１Ｂ  第５吹出口、４３０  蓋構造体、４３０Ａ  ヒレ部、４３１  第５戻り口、４３１Ａ  第５戻り口、４３１Ｂ  第５戻り口、４４０Ａ  第１冷凍室貯蔵ケース、４４０Ｂ  第２冷凍室貯蔵ケース、４５１  第５接合部、４５１Ａ  第５接合部、４５１Ｂ  第５接合部、５００  断熱材、５００Ａ  真空断熱材、５００Ａ１  真空断熱材、５００Ａ２  真空断熱材、５００Ａ３  真空断熱材、５００Ａ４  真空断熱材、５５１  空気出口、６００  冷却器、７００  ヒータ、７５０  ドリップヒータ、７５１  ドリップトレイ、８００  送風機。
【図１】
2019043913.tif 000003
【図２】
2019043913.tif 000004
【図３】
2019043913.tif 000005
【図４】
2019043913.tif 000006
【図５】
2019043913.tif 000007
【図６】
2019043913.tif 000008
【図７】
2019043913.tif 000009
【図８】
2019043913.tif 000010
【図９】
2019043913.tif 000011
【図１０】
2019043913.tif 000012
【図１１】
2019043913.tif 000013
【図１２】
2019043913.tif 000014
【国際調査報告】
2019043913.tif 000015
2019043913.tif 000016
2019043913.tif 000017
2019043913.tif 000018